(57)【要約】      （修正有）【課題】屋根裏の空気が完全に外部排出されるまでに時間を要さない構造を提供する。【解決手段】棟部Ａ上に設置した複数本の支持材８上に載架した熨斗瓦固定材９の両側面に、棒熨斗瓦１を熨斗瓦固定材９の長手方向に並列配置し固定した熨斗列11、11aを上下方向に複数段形成すると共に、隣接する熨斗列11、11a間に隙間12を形成し、１段目の熨斗列11と、その直下の葺設状態の桟瓦Ｔとの間の面戸を閉鎖し、棒熨斗瓦１の熨斗瓦固定材９への当接面に形成された上下方向全体にわたる溝７で熨斗瓦固定材９との間に通気路13を形成する。屋根裏からの空気を、最下段の熨斗列11における通気路13を通過させて、隣接する熨斗列11、11a間に流入させ隙間12から外部流出させる構成とする。【選択図】図３
2013224538.tif 000002
【特許請求の範囲】
【請求項１】
緩やかに下方傾斜した断面弧状の熨斗部と、該熨斗部の内端上部に上方突設した固定突部とを有し、該固定突部に釘孔を形成し、熨斗部の内端面と固定突部の内側面とを面一にして平面状の当接面を形成し、該当接面に上下方向全体にわたる溝を形成したことを特徴とする棒熨斗瓦。
【請求項２】
棟部上に設置した複数本の支持材上に熨斗瓦固定材を載架し、該熨斗瓦固定材の両側面に、請求項１記載の複数本の棒熨斗瓦を熨斗瓦固定材の長手方向に並列配置し釘着した熨斗列を上下方向に複数段形成すると共に、隣接する熨斗列間に隙間を形成し、１段目の熨斗列と、その直下の葺設状態の桟瓦との間の面戸を閉鎖し、棒熨斗瓦の溝で熨斗瓦固定材との間に通気路を形成し、最上段の左右の熨斗列を跨ぐ様に冠瓦を、熨斗列との間に隙間を開けて設置したことを特徴とする棟構造。
【発明の詳細な説明】
【技術分野】
【０００１】
本発明は、外観上、棟部に熨斗瓦が多数段積み重ねられた状態にすることを可能にした、棟部での換気機能を装備可能な棒熨斗瓦及び該棒熨斗瓦を使用した棟構造に関する。
【背景技術】
【０００２】
従来、神社、仏閣及びこれに類する建築物における大棟、隅棟等の棟部の構造としては、台風や地震の水平力に抵抗させるために棟木から棟束を立設し、下方から台熨斗瓦、熨斗瓦を順次葺土を介在させながら銅線で緊結させて積み重ねた構造と成っている。
【０００３】
しかし、上記棟構造にあっては、第１に、熨斗瓦間に葺土を介在させていることから、棟部が重くなって建築物への負担が大きく、特に耐震性に劣ることになり、第２に、長期間の風雨等によって葺土が崩れ棟部の形態が悪化し易く、第３に、棟部の構築に高度な熟練技術が要求される、等の欠点があった。
【０００４】
そこで、本願出願人は、屋根の棟部に立設する上下方開口状のボックスと、該ボックスの両側面の縦横方向に多数配列し固定した、熨斗面を備える棒熨斗瓦と、ボックスの上部に葺設固定した熨斗瓦と、該熨斗瓦上に跨がる様に被冠した冠瓦とにより構成し、熨斗瓦及び冠瓦間に隙間を形成することによって、ボックスの下方開口部から上方開口部を経て隙間まで至る排気経路を形成して、屋根裏に溜まった空気を外部へ排出することを可能にした簡易換気棟を開発した（例えば、特許文献１参照）。
【先行技術文献】
【特許文献】
【０００５】
【特許文献１】特開２００１−３４９０２５号公報
【発明の概要】
【発明が解決しようとする課題】
【０００６】
しかし、上記従来技術にあっては、確かに軽量化されて耐震性が向上し、経時劣化し難く、施工も簡易化されているが、屋根裏の空気はボックス内を上昇し上方開口部を通過して隙間から外部排出されるため、完全に外部排出されるまでに時間を要してしまうなど、解決せねばならない課題があった。
【課題を解決するための手段】
【０００７】
本発明は、上記従来技術に基づく、屋根裏の空気が完全に外部排出されるまでに時間を要してしまう課題に鑑み、緩やかに下方傾斜した断面弧状の熨斗部と、該熨斗部の内端上部に上方突設した固定突部とを有し、熨斗部の内端面と固定突部の内側面とを面一にして平面状の当接面を形成し、該当接面に上下方向全体にわたる溝を形成した棒熨斗瓦を使用した棟構造であって、棟部上に設置した複数本の支持材上に熨斗瓦固定材を載架し、該熨斗瓦固定材の両側面に、複数本の上記棒熨斗瓦を熨斗瓦固定材の長手方向に並列配置し釘着した熨斗列を上下方向に複数段形成すると共に、隣接する熨斗列間に隙間を形成し、１段目の熨斗列と、その直下の葺設状態の桟瓦との間の面戸を閉鎖し、棒熨斗瓦の溝で熨斗瓦固定材との間に通気路を形成し、最上段の左右の熨斗列を跨ぐ様に冠瓦を、熨斗列との間に隙間を開けて設置したことによって、屋根裏からの空気を、熨斗瓦固定材の外側に形成される最下段の熨斗列における通気路を通過させて、隣接する熨斗列間に流入させ隙間から外部流出させる換気棟を構築可能にして、上記課題を解決する。
【発明の効果】
【０００８】
要するに本発明は、緩やかに下方傾斜した断面弧状の熨斗部と、該熨斗部の内端上部に上方突設した固定突部とを有し、該固定突部に釘孔を形成し、熨斗部の内端面と固定突部の内側面とを面一にして平面状の当接面を形成し、該当接面に上下方向全体にわたる溝を形成したので、かかる棒熨斗瓦の当接面を熨斗瓦固定材の外側面に当接させ固定すれば、棒熨斗瓦の溝により、熨斗瓦固定材の外側に上下方向に貫通状態の通気路を形成することが出来るため、直ぐに熨斗瓦固定材より外側に屋根裏の空気を排出することが出来る。
【０００９】
そして、棟部上に設置した複数本の支持材上に熨斗瓦固定材を載架し、該熨斗瓦固定材の両側面に、請求項１記載の複数本の棒熨斗瓦を熨斗瓦固定材の長手方向に並列配置し釘着した熨斗列を上下方向に複数段形成すると共に、隣接する熨斗列間に隙間を形成し、１段目の熨斗列と、その直下の葺設状態の桟瓦との間の面戸を閉鎖し、棒熨斗瓦の溝で熨斗瓦固定材との間に通気路を形成し、最上段の左右の熨斗列を跨ぐ様に冠瓦を、熨斗列との間に隙間を開けて設置したので、屋根裏の空気は熨斗瓦固定材の外側に形成される最下段の熨斗列における通気路を通過させて、隣接する熨斗列間に流入させ隙間から外部流出させることが出来るため、屋根裏の空気が完全に外部排出されるまでの時間の短縮化を図ることが出来る等その実用的効果甚だ大である。
【図面の簡単な説明】
【００１０】
【図１（ａ）】本発明に係る棒熨斗瓦の正面斜視図である。
【図１（ｂ）】図１（ａ）の棒熨斗瓦の背面斜視図である。
【図２】図１の棒熨斗瓦を使用した棟構造を説明する一部断面斜視図である。
【図３】図１の棒熨斗瓦を使用した棟構造を説明する断面図である。
【発明を実施するための形態】
【００１１】
以下、本発明を実施するための形態を図面に基づき説明する。
図１（ａ）、（ｂ）に示す様に、本発明に係る棒熨斗瓦１、1a…にあっては、断面形状が箱熨斗瓦の側部と略同一になる陶磁器板で、緩やかに下方傾斜した断面弧状の熨斗部２と、該熨斗部２の内端上部に上方突設した固定突部３とを有し、熨斗部２の外端面である熨斗面４を、内方への傾斜面としている。固定突部３に釘孔５、5aを形成し、熨斗部２の内端面と固定突部３の内側面とを面一にして平面状の、後述する熨斗瓦固定材９との当接面６を形成し、該当接面６に上下方向全体にわたる溝７を形成している。
【００１２】
次に、上記棒熨斗瓦１、1a…を使用した棟構造について説明する。
図２、３に示す様に、屋根下地Ｗにおける棟部Ａに複数個の支持材８を所定間隔毎に立設し、該支持材８上に、棟部Ａに沿って長い熨斗瓦固定材９を載架固定し、該熨斗瓦固定材９の各側面10、10a に複数の棒熨斗瓦１、1a…を、側面10、10a の長手方向に並列配置し固定した上下２段の熨斗列11、11a を形成し、隣接する熨斗列11、11a の上方の棒熨斗瓦１、1a…が下方の棒熨斗瓦１、1a…の上面に接地させずに相互間に隙間12を形成し、１段目の熨斗列11と、その直下の桟瓦Ｔとの間の面戸を漆喰、面戸瓦等により閉鎖し、各棒熨斗瓦１、1a…の溝７により熨斗瓦固定材９の側面10、10a との間に通気路13を形成している。
最上段である２段目の左右の熨斗列11a 、11a に跨ぐ様に冠瓦14、14a …を、熨斗列11a 、11a の棒熨斗瓦１、1a…の上面に接地させずに相互間に隙間15を開けて設置し、各冠瓦14、14a …は、貫通させた釘、ビス等の固定具16を熨斗瓦固定材９に打ち込んで該熨斗瓦固定材９に固定されている。
【００１３】
尚、図面上、各棒熨斗瓦１、1a…は、釘穴５、5aを貫通させた釘、ビス等の固定具17、17a を両側面10、10a に打ち込んで熨斗瓦固定材９に固定されている。
【００１４】
又、図面上、２列の熨斗列11、11a を有しているが、３列以上であっても良く、要するに複数列であれば良い。
又、熨斗瓦固定材９の両側面10、10a は階段状に形成され、その立ち上げ面部に棒熨斗瓦１、1a…が固定されているが、単なる平面であっても良い。
【００１５】
次に、本発明に係る棒熨斗瓦を使用した棟構造の作用について説明する。
屋根裏の空気は、先ず棟部Ａの隙間を通過して、熨斗瓦固定材９の下方の空間に流入し、続いて１段目の熨斗列11における各棒熨斗瓦１、1a…の溝７により熨斗瓦固定材９の側面10、10a との間に形成された通気路13を通って、２段の熨斗列11a との間に流入し、一部は隙間12から外部排出され、残りは更に２段目の熨斗列11a における通気路13を通って、冠瓦14、14a …との間に流入し隙間15から外部排出される。
【符号の説明】
【００１６】
１、1a…    棒熨斗瓦
２          熨斗部
３          固定突部
５、5a      釘孔
６          当接面
７          溝
８          支持材
９          熨斗瓦固定材
10、10a     側面
11、11a     熨斗列
12          隙間
13          通気路
14、14a …  冠瓦
15          隙間
Ａ          棟部
Ｔ          桟瓦
Ｗ          屋根下地
【図１（ａ）】
2013224538.tif 000003
【図１（ｂ）】
2013224538.tif 000004
【図２】
2013224538.tif 000005
【図３】
2013224538.tif 000006